(57)【要約】      （修正有）【課題】シンチレーションが低減された透明性を有する反射スクリーン及び映像表示装置を提供する。【解決手段】反射スクリーン１０は、映像源から投射された映像光の少なくとも一部を反射して映像を表示し、入射した光の一部を反射し、入射した光のその他の少なくとも一部を透過する第１反射層２３と、第１反射層２３よりも映像源側とは反対の背面側に設けられ、入射した光の少なくとも一部を反射する第２反射層３３とを備え、第１反射層２３及び第２反射層３３の映像源側の面には微細な凹凸形状が形成されている。【選択図】図２
2020194099.tif 000002
【特許請求の範囲】
【請求項１】
映像源から投射された映像光の少なくとも一部を反射して映像を表示する反射スクリーンであって、
入射した光の一部を反射し、入射した光のその他の少なくとも一部を透過する第１反射層と、
前記第１反射層よりも映像源側とは反対の背面側に設けられ、入射した光の少なくとも一部を反射する第２反射層とを備え、
前記第１反射層及び前記第２反射層の映像源側の面には微細な凹凸形状が形成されていること、
を特徴とする反射スクリーン。
【請求項２】
請求項１に記載の反射スクリーンにおいて、
前記第２反射層は、入射した光を透過することなく反射すること、
を特徴とする反射スクリーン。
【請求項３】
請求項１又は請求項２に記載の反射スクリーンにおいて、
映像光が入射する第１入射面と、前記第１入射面に対向する第１対向面とを有する第１単位光学形状が複数配列された第１光学形状層と、
前記第１光学形状層よりも映像源側に配置され、映像光が入射する第２入射面と、前記第２入射面に対向する第２対向面とを有する第２単位光学形状が複数配列された第２光学形状層とを備え、
前記第１反射層は、前記第１入射面に設けられ、
前記第２反射層は、前記第２入射面に設けられていること、
を特徴とする反射スクリーン。
【請求項４】
請求項１又は請求項２に記載の反射スクリーンにおいて、
前記第１反射層及び前記第２反射層は、それぞれ当該反射スクリーンの画面に略平行な面に形成されていること、
を特徴とする反射スクリーン。
【請求項５】
請求項１から請求項４までのいずれか１項に記載の反射スクリーンと、
前記反射スクリーンに映像光を投射する映像源とを備え、
同一観察点において、前記反射スクリーンの前記第１反射層により表示される映像と、前記第２反射層により表示される映像とのずれは、前記映像源の１画素以上２画素以下であること、
を特徴とする映像表示装置。
【発明の詳細な説明】
【技術分野】
【０００１】
本発明は、反射スクリーン及び映像表示装置に関するものである。
【背景技術】
【０００２】
従来、映像源から投射された映像光を反射又は透過して表示するスクリーンとして、様々なものが開発されている（例えば、特許文献１参照）。特許文献１には、光拡散要素を透明バインダー中に含有した光拡散層を備えた透過型スクリーンが提案されているが、このようなスクリーンは、入射した映像光を光拡散層により散乱させるので、微小な領域において映像のぎらつき、いわゆるシンチレーションが視認されてしまう場合がある。特にレーザー走査型の映像源が用いられる場合、レーザー光の直進性の高さが起因して、よりいっそうシンチレーションの視認が顕著になる場合がある。
【先行技術文献】
【特許文献】
【０００３】
【特許文献１】国際公開第２００５／０１４５１８号
【発明の概要】
【発明が解決しようとする課題】
【０００４】
本発明の課題は、シンチレーションが低減された反射スクリーン及び映像表示装置を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
第１の発明は、映像源（ＬＳ）から投射された映像光の少なくとも一部を反射して映像を表示する反射スクリーン（１０）であって、入射した光の一部を反射し、入射した光のその他の少なくとも一部を透過する第１反射層（２３）と、前記第１反射層よりも映像源側とは反対の背面側に設けられ、入射した光の少なくとも一部を反射する第２反射層（３３）とを備え、前記第１反射層及び前記第２反射層の映像源側の面には微細な凹凸形状が形成されていること、を特徴とする反射スクリーンである。
第２の発明は、第１の発明の反射スクリーン（１０）において、前記第２反射層（３３）は、入射した光を透過することなく反射すること、を特徴とする反射スクリーンである。
第３の発明は、第１の発明又は第２の発明の反射スクリーン（１０）において、映像光が入射する第１入射面（２２１ａ）と、前記第１入射面に対向する第１対向面（２２１ｂ）とを有する第１単位光学形状（２２１）が複数配列された第１光学形状層（２２）と、前記第１光学形状層よりも映像源側に配置され、映像光が入射する第２入射面（３２１ａ）と、前記第２入射面に対向する第２対向面（３２１ｂ）とを有する第２単位光学形状（３２１）が複数配列された第２光学形状層（３２）とを備え、前記第１反射層（２３）は、前記第１入射面に設けられ、前記第２反射層（３３）は、前記第２入射面に設けられていること、を特徴とする反射スクリーン（１０）である。
第４の発明は、第１の発明又は第２の発明の反射スクリーン（５０）において、前記第１反射層（５３）及び前記第２反射層（６３）は、それぞれ当該反射スクリーンの画面に略平行な面に形成されていること、を特徴とする反射スクリーンである。
第５の発明は、第１の発明から第４の発明までのいずれかの反射スクリーン（１０）と、前記反射スクリーンに映像光を投射する映像源（ＬＳ）とを備え、同一観察点において、前記反射スクリーンの前記第１反射層（２３）により表示される映像と、前記第２反射層（３３）により表示される映像とのずれは、前記映像源の１画素以上２画素以下であること、を特徴とする映像表示装置（１）である。
【発明の効果】
【０００６】
本発明によれば、シンチレーションが低減された反射スクリーン及び映像表示装置を提供することができる。
【図面の簡単な説明】
【０００７】
【図１】第１実施形態の映像表示装置１を説明する図である。
【図２】第１実施形態のスクリーン１０の層構成を説明する図である。
【図３】第１実施形態の第１光学形状層２２、第２光学形状層３２をそれぞれ背面側（−Ｚ側）から見た図である。
【図４】第１実施形態のスクリーン１０の画面上下方向（Ｙ方向）における映像光及び外光の様子を説明する図である。
【図５】第２実施形態のスクリーン４０の層構成を説明する図である。
【図６】第３実施形態のスクリーン５０の層構成を説明する図である。
【発明を実施するための形態】
【０００８】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書中において、記載する各部材の寸法等の数値及び材料名等は、実施形態としての一例であり、これに限定されるものではなく、適宜選択して使用してよい。
【０００９】
本明細書中において、板、シート等の言葉を使用している。一般的に、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、スクリーン面とは、スクリーン全体として見たときにおける、スクリーンの平面方向となる面を示すものであり、スクリーンの画面（表示面）に平行であるとする。
【００１０】
（第１実施形態）
図１は、第１実施形態の映像表示装置１を説明する図である。図１（ａ）は、映像表示装置１の斜視図であり、図１（ｂ）は、映像表示装置１を側面側から見た図である。
映像表示装置１は、スクリーン１０、映像源ＬＳ等を有している。本実施形態のスクリーン１０は、映像源ＬＳから投影された映像光Ｌを反射して、その映像源側の画面（表示領域）に映像を表示可能である。このスクリーン１０の詳細に関しては、後述する。
【００１１】
ここで、理解を容易にするために、図１を含め以下に示す各図において、適宜、ＸＹＺ直交座標系を設けて示している。この座標系では、スクリーン１０の画面左右方向（水平方向）をＸ方向、画面上下方向（鉛直方向）をＹ方向とし、スクリーン１０の厚み方向をＺ方向とする。スクリーン１０の画面は、ＸＹ面に平行であり、スクリーン１０の厚み方向（Ｚ方向）は、スクリーン１０の画面に直交する。
また、スクリーン１０の厚み方向における映像源側の正面方向に位置する観察者Ｏ１から見て、画面左右方向の右側に向かう方向を＋Ｘ方向、画面上下方向の上側に向かう方向を＋Ｙ方向、厚み方向において背面側（裏面側）から映像源側に向かう方向を＋Ｚ方向とする。
さらに、以下の説明中において、画面上下方向、画面左右方向、厚み方向とは、特に断りが無い場合、このスクリーン１０の使用状態における画面上下方向（鉛直方向）、画面左右方向（水平方向）、厚み方向（奥行き方向）であり、それぞれ、Ｙ方向、Ｘ方向、Ｚ方向に平行であるとする。
【００１２】
映像源ＬＳは、映像光Ｌをスクリーン１０へ投影する映像投射装置（プロジェクタ）である。本実施形態の映像源ＬＳは、短焦点型のプロジェクタである。
この映像源ＬＳは、映像表示装置１の使用状態において、スクリーン１０の画面（表示領域）を映像源側（＋Ｚ側）の正面方向（スクリーン面の法線方向）から見た場合に、スクリーン１０の画面左右方向（Ｘ方向）の中央であって、スクリーン１０の画面よりも鉛直方向下方側（−Ｙ側）に位置している。
映像源ＬＳは、奥行き方向（Ｚ方向）において、スクリーン１０の映像源側（＋Ｚ側）の表面からの距離が従来の汎用プロジェクタに比べて大幅に近い位置から、斜めに映像光Ｌを投影できる。したがって、従来の汎用プロジェクタに比べて、映像源ＬＳは、スクリーン１０までの投射距離が短く、投射された映像光Ｌがスクリーン１０に入射する入射角度や、入射角度の変化量（最小値から最大値までの変化量）が大きい。
【００１３】
スクリーン１０は、映像源ＬＳが投射した映像光Ｌの一部を映像源側（＋Ｚ側）に位置する観察者Ｏ１側へ向けて反射して映像を表示し、一部の映像光を背面側（−Ｚ側）へ透過する半透過型の反射スクリーンである。このスクリーン１０は、映像光を投射しない不使用時等において、スクリーン１０の向こう側の景色を観察できる透明性を有している。
スクリーン１０の画面（表示領域）は、使用状態において、映像源側（＋Ｚ側）の観察者Ｏ１側から見て長辺方向が画面左右方向に平行な略矩形形状である。
スクリーン１０は、その画面サイズが対角４０〜１００インチ程度の大きな画面を有しており、画面の横縦比が１６：９である。なお、これに限らず、例えば、４０インチ程度以下の大きさとしてもよく、使用目的や使用環境等に応じて、その大きさや形状は適宜選択できるものとする。
【００１４】
一般的に、スクリーン１０は、樹脂製の薄い層の積層体等であり、それ単独では平面性を維持するだけの十分な剛性を有していない場合が多い。そのため、スクリーン１０は、その背面側等に光透過性を有する不図示の接合層を介して不図示の支持板を一体に接合（あるいは部分固定）し、画面の平面性を維持する形態としてもよい。
このような支持板は、光透過性を有し、剛性が高い平板状の部材であり、アクリル樹脂やＰＣ樹脂等の樹脂製、ガラス製等の板状の部材を用いることができる。
また、スクリーン１０は、不図示の枠部材等によってその四辺等が支持され、その平面性を維持する形態としてもよい。
【００１５】
図２は、第１実施形態のスクリーン１０の層構成を説明する図である。図２では、スクリーン１０の映像源側（＋Ｚ側）の画面中央（画面の幾何学的中心）となる点Ａ（図１参照）を通り、画面上下方向（Ｙ方向）に平行であって、スクリーン面に垂直（厚み方向であるＺ方向に平行）な断面の一部を拡大して示している。
図３は、第１実施形態の第１光学形状層２２、第２光学形状層３２をそれぞれ背面側（−Ｚ側）から見た図である。図３（ａ）は、第１光学形状層２２を背面側から見た図であり、図３（ｂ）は、第２光学形状層３２を背面側から見た図である。理解を容易にするために、図３（ａ），（ｂ）では、それぞれ、第１光学形状層２２、第２光学形状層３２のみを示している。
スクリーン１０は、図２に示すように、その映像源側（＋Ｚ側）から順に、第１スクリーン部２０、第２スクリーン部３０を備えている。第１スクリーン部２０と第２スクリーン部３０とは、厚み方向において積層され、接合層１１によって一体に接合されている。
この第１スクリーン部２０及び第２スクリーン部３０は、それぞれ複数の層が一体に積層されて形成されている。
【００１６】
第１スクリーン部２０の映像の表示領域及び第２スクリーン部３０の映像の表示領域は、いずれもスクリーン１０の画面と同じ矩形形状であり、スクリーン１０の正面方向から見て、スクリーン１０の画面（表示領域）に一致している。そして、スクリーン１０の正面方向から見て、第１スクリーン部２０の表示領域の幾何学的中心となる点Ａ１と、第２スクリーン部３０の表示領域の幾何学的中心となる点Ａ２とは、スクリーン１０の画面の幾何学的中心となる点Ａに一致している。
第１スクリーン部２０は、映像光Ｌの一部を反射して映像を表示し、かつ、映像光Ｌの一部を透過する。また、第２スクリーン部３０は、第１スクリーン部２０を透過した映像光Ｌの一部を反射して映像を表示し、かつ、第１スクリーン部２０を透過した映像光Ｌの一部を透過する。したがって、第１スクリーン部２０が表示する映像と第２スクリーン部３０が表示する映像とは同じである。
【００１７】
第１スクリーン部２０は、映像源側（＋Ｚ側）から順に、第１基材層２１、第１光学形状層２２、第１反射層２３、第１樹脂層２４を備えている。
また、第２スクリーン部３０は、第１スクリーン部２０よりも背面側（−Ｚ側）に位置し、映像源側から順に、第２基材層３１、第２光学形状層３２、第２反射層３３、第２樹脂層３４、保護層３５を備えている。
接合層１１は、光透過性の高い粘着剤又は接着剤により形成された層であり、スクリーン１０の厚み方向において、第１スクリーン部２０と第２スクリーン部３０との間に設けられている。この接合層１１は、第１スクリーン部２０と第２スクリーン部３０とを一体に接合している。
【００１８】
まず、第１スクリーン部２０から説明する。
第１基材層２１は、光透過性を有するシート状の部材である。第１基材層２１は、その背面側（裏面側，−Ｚ側）に、第１光学形状層２２が一体に形成されている。第１基材層２１は、第１光学形状層２２を形成する基材（ベース）となる層である。また、第１基材層２１は、スクリーン１０の映像源側（＋Ｚ側）を保護する機能を有していてもよい。
第１基材層２１は、例えば、高い光透過性を有するＰＥＴ（ポリエチレンテレフタレート）等のポリエステル樹脂、アクリル樹脂、スチレン樹脂、アクリルスチレン樹脂、ＰＣ（ポリカーボネート）樹脂、脂環式ポリオレフィン樹脂、ＴＡＣ（トリアセチルセルロース）樹脂等により形成される。
【００１９】
第１光学形状層２２は、第１基材層２１の背面側（−Ｚ側）に形成された光透過性を有する層である。第１光学形状層２２の背面側の面には、第１単位光学形状２２１が複数配列されて設けられている。
図３（ａ）に示すように、第１単位光学形状２２１は、真円の一部形状（円弧状）であり、スクリーン１０の画面外（第１スクリーン部２０の表示領域外）に位置する点Ｃ１を中心として、同心円状に複数配列されている。即ち、第１光学形状層２２は、背面側の面に、点Ｃ１をフレネルセンターとする、いわゆるオフセット構造のサーキュラーフレネルレンズ形状を有している。
この点Ｃ１は、図３（ａ）に示すように、スクリーン１０の画面（第１スクリーン部２０の表示領域）の左右方向の中央であって画面下方に位置しており、スクリーン１０を正面方向から見た場合、点Ｃ１と点Ａとは、Ｙ方向に平行な同一直線上に位置している。
【００２０】
第１単位光学形状２２１は、図２に示すように、スクリーン面に直交する方向（Ｚ方向）に平行であって、第１単位光学形状２２１の配列方向に平行な断面における断面形状が、略三角形形状である。
第１単位光学形状２２１は、背面側に凸であり、映像光が入射する第１入射面２２１ａと、これに対向する第１対向面２２１ｂとを有している。１つの第１単位光学形状２２１において、第１対向面２２１ｂは、頂点ｔ１を挟んで第１入射面２２１ａの下側に位置している。
【００２１】
第１入射面２２１ａがスクリーン面に平行な面（ＸＹ平面）となす角度は、θ１である。第１対向面２２１ｂがスクリーン面に平行な面となす角度は、θ２である。角度θ１，θ２は、θ２＞θ１という関係を満たしている。
この第１単位光学形状２２１の第１入射面２２１ａ及び第１対向面２２１ｂは、微細かつ不規則な凹凸形状を有する粗面である。この凹凸形状は、微細な凸形状と凹形状とが２次元方向に不規則に配列されて形成されており、凸形状及び凹形状は、その大きさや形状、高さ等は不規則である。
【００２２】
第１単位光学形状２２１の配列ピッチは、Ｐ１であり、第１単位光学形状２２１の高さ（厚み方向における頂点ｔ１から第１単位光学形状２２１間の谷底となる点ｖ１までの寸法）は、ｈ１である。
理解を容易にするために、図２では、第１単位光学形状２２１の配列ピッチＰ１、角度θ１，θ２は、第１単位光学形状２２１の配列方向において一定である例を示している。しかし、本実施形態の第１単位光学形状２２１は、実際には、配列ピッチＰ１は一定であるが、角度θ１が第１単位光学形状２２１の配列方向においてフレネルセンターとなる点Ｃ１から離れるにつれて次第に大きくなっている。
角度θ１，θ２、配列ピッチＰ１等は、映像源ＬＳからの映像光の投射角度（スクリーン１０への映像光の入射角度）や、映像源の画素（ピクセル）の大きさ、スクリーン１０の画面サイズ、各層の屈折率等に応じて、適宜設定してよい。例えば、第１単位光学形状２２１の配列方向に沿って、配列ピッチＰ１が変化し、角度θ１，θ２が変化する形態としてもよい。
【００２３】
第１光学形状層２２は、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成されている。
なお、本実施形態では、第１光学形状層２２を構成する樹脂として、紫外線硬化型樹脂を例に挙げて説明するが、これに限らず、例えば、電子線硬化型樹脂等の他の電離放射線硬化型樹脂により形成してもよい。
【００２４】
第１反射層２３は、入射した光の一部を反射し、その他を透過する半透過型の反射層であり、いわゆるハーフミラーである。本実施形態の第１反射層２３は、第１単位光学形状２２１の第１入射面２２１ａ上に形成されている。
前述のように、第１入射面２２１ａには、微細かつ不規則な凹凸形状が形成されており、第１反射層２３は、この微細かつ不規則な凹凸形状に追従して形成され、その凹凸形状を維持した状態で成膜されている。そのため、第１反射層２３の反射面、すなわち第１反射層２３の第１光学形状層２２側（映像源側）の面）及び第１樹脂層２４側（背面側）の面は、微細かつ不規則な凹凸形状を有する粗面となっている。
この第１反射層２３は、入射した光の一部を微細かつ不規則な凹凸形状により拡散して反射し、反射しない他の光を拡散しないで透過する。
【００２５】
第１反射層２３は、屈折率の高い誘電体膜（以下、高屈折率誘電体膜という）と屈折率が低い誘電体膜（以下、低屈折率誘電体膜という）とが交互に複数積層されて形成された誘電体多層膜により形成されている。
高屈折率誘電体膜は、例えば、ＴｉＯ２（二酸化チタン）、Ｎｂ２Ｏ５（五酸化ニオブ）、Ｔａ２Ｏ５（五酸化タンタル）等により形成される。高屈折率誘電体膜の屈折率は、２．０〜２．６程度である。
低屈折率誘電体膜は、例えば、ＳｉＯ２（二酸化ケイ素）、ＭｇＦ２（フッ化マグネシウム）等により形成される。低屈折率誘電体膜の屈折率は、１．３〜１．５程度である。
高屈折率誘電体膜及び低屈折率誘電体膜の膜厚は、約５〜１００ｎｍであり、これらが交互に２〜１０層程積層されて形成されており、誘電体多層膜の総厚は、１０〜１０００ｎｍ程度である。
【００２６】
この第１反射層２３は、波長域４００〜８００ｎｍの光に対して、その反射率が約５〜４５％、透過率が約５５〜８５％である。
誘電体多層膜により形成された第１反射層２３は、アルミニウム等の金属蒸着膜等により形成された反射層に比べて、高い透明性を有しており、また、光の吸収損失が小さく、高い反射率を実現できる。
【００２７】
本実施形態の第１反射層２３は、ＴｉＯ２（二酸化チタン）等の金属酸化膜により形成された高屈折率誘電体膜と、ＳｉＯ２により形成された低屈折率誘電体膜を複数積層して形成されている。
第１反射層２３は、第１単位光学形状２２１上（第１入射面２２１ａ及び第１対向面２２１ｂ上）に、上述のような誘電体多層膜を蒸着加工する、又はスパッタ加工する等により、所定の厚さで形成される。
なお、第１反射層２３は、これに限らず、例えば、アルミニウム、銀、ニッケル等の光反射性の高い金属を蒸着したり、光反射性の高い金属をスパッタリングしたり、金属箔を転写したりする等により形成してもよい。また、第１反射層２３は、上述の高屈折率誘電体膜を単層により構成するようにしてもよい。
【００２８】
第１樹脂層２４は、第１光学形状層２２及び第１反射層２３の背面側（−Ｚ側）に設けられた光透過性を有する層である。
第１樹脂層２４は、第１単位光学形状２２１間の谷部を埋めるように形成されており、第１光学形状層２２及び第１反射層２３の背面側（−Ｚ側）の面を平坦としている。したがって、第１樹脂層２４の映像源側（＋Ｚ側）の面は、第１光学形状層２２の第１単位光学形状２２１の略逆型の形状が複数配列されて形成されている。
このような第１樹脂層２４を設けることにより、第１反射層２３を保護できる。また、第１スクリーン部２０に第１樹脂層２４を設けることにより、第１スクリーン部２０の背面側に第２スクリーン部３０を積層しやすくなる。
【００２９】
第１樹脂層２４の屈折率は、第１光学形状層２２の屈折率と等しい、又は、略等しい（等しいとみなせる程度に屈折率差が小さい）ことが望ましい。また、第１樹脂層２４は、第１光学形状層２２と同じ紫外線硬化型樹脂を用いて形成することが好ましいが、異なる材料により形成してもよい。
本実施形態の第１樹脂層２４は、第１光学形状層２２と同じ材料（紫外線硬化型樹脂）により形成され、その屈折率が第１光学形状層２２の屈折率に等しい。
【００３０】
次に、第２スクリーン部３０について説明する。
本実施形態の第２スクリーン部３０は、保護層３５を備えている点が異なる以外は、前述の第１スクリーン部２０と略同様の形態である。したがって、第１スクリーン部２０と同等の機能を果たす部分については、重複する説明を適宜省略する。
第２基材層３１は、第１スクリーン部２０の第１基材層２１に相当する層である。本実施形態では、第２基材層３１は、第１基材層２１と同様のシート状の部材を用いている。なお、第２基材層３１は、第１基材層２１よりも厚みが薄くてもよい。
【００３１】
第２光学形状層３２は、第１スクリーン部２０の第１光学形状層２２に相当する層であり、第１光学形状層２２と同様の材料により形成されている。
第２光学形状層３２は、図３（ｂ）に示すように、その背面側の面に、真円の一部形状（円弧状）である第２単位光学形状３２１がスクリーン１０の画面外（第２スクリーン部３０の表示領域外）に位置する点Ｃ２を中心として同心円状に複数配列された、オフセット構造のサーキュラーフレネルレンズ形状を有している。
【００３２】
本実施形態では、この点Ｃ２は、図３（ｂ）に示すように、スクリーン１０の画面（第２スクリーン部３０の表示領域）の左右方向の中央であって画面下方に位置しており、スクリーン１０を正面方向（Ｚ方向）から見た場合、点Ｃ２と点Ａとは、Ｙ方向に平行な同一直線上に位置している。
また、本実施形態では、スクリーン１０を正面方向から見た場合、この点Ｃ２は、前述の第１光学形状層２２のサーキュラーフレネルレンズ形状のフレネルセンターとなる点Ｃ１と一致している。
【００３３】
第２単位光学形状３２１は、図２に示すように、スクリーン面に直交する方向（Ｚ方向）に平行であって、第２単位光学形状３２１の配列方向に平行な断面における断面形状が、略三角形形状である。
第２単位光学形状３２１は、背面側に凸であり、第２入射面３２１ａと、第２対向面３２１ｂとを有している。
第２入射面３２１ａがスクリーン面に平行な面（ＸＹ平面）となす角度は、θ３である。第２対向面３２１ｂがスクリーン面に平行な面となす角度は、θ４である。角度θ３，θ４は、θ４＞θ３という関係を満たしている。
第２入射面３２１ａ及び第２対向面３２１ｂは、第１単位光学形状２２１の第１入射面２２１ａ及び第１対向面２２１ｂと同様に、微細かつ不規則な凹凸形状を有する粗面である。
【００３４】
第２単位光学形状３２１の配列ピッチは、Ｐ２であり、第２単位光学形状３２１の高さ（厚み方向における頂点ｔ２から第２単位光学形状３２１間の谷底となる点ｖ２までの寸法）は、ｈ２である。
理解を容易にするために、図２では、第２単位光学形状３２１の配列ピッチＰ２、角度θ３，θ４は、第２単位光学形状３２１の配列方向において一定である例を示している。しかし、本実施形態の第２単位光学形状３２１は、実際には、配列ピッチＰ２は一定であるが、角度θ３が第２単位光学形状３２１の配列方向においてフレネルセンターとなる点Ｃ２から離れるにつれて次第に大きくなっている。
【００３５】
角度θ３，θ４、配列ピッチＰ２等は、前述の角度θ１，θ２及び配列ピッチＰ１と同様に、映像源ＬＳからの映像光の投射角度（第２スクリーン部３０への映像光の入射角度）や、映像源の画素（ピクセル）の大きさ、スクリーン１０の画面サイズ、各層の屈折率等に応じて、適宜設定してよい。例えば、第２単位光学形状３２１の配列方向に沿って、配列ピッチＰ２が変化し、角度θ３，θ４が変化する形態としてもよい。
本実施形態では、第１光学形状層２２のサーキュラーフレネルレンズ形状と第２光学形状層３２のサーキュラーフレネルレンズ形状とは、光学的な設計が同じであり、同様の形状である。したがって、第１単位光学形状２２１の配列ピッチＰ１と第２単位光学形状３２１の配列ピッチＰ２とは等しい（Ｐ１＝Ｐ２）。また、各スクリーン部のフレネルセンターとなる点Ｃ１，Ｃ２からの距離が等しい位置の第１単位光学形状２２１及び第２単位光学形状３２１では、θ１＝θ３、θ２＝θ４である。
【００３６】
第２反射層３３は、第１スクリーン部２０の第１反射層２３に相当する層であり、入射した光の一部を反射し、その他を透過する半透過型の反射層であり、いわゆるハーフミラーである。第２反射層３３は、第１反射層２３と同様に、誘電体多層膜により形成されている。本実施形態の第２反射層３３は、第２単位光学形状３２１の第２入射面３２１ａ上に設けられている。
【００３７】
ここで、第２入射面３２１ａには、微細かつ不規則な凹凸形状が形成されているので、第２反射層３３は、この微細かつ不規則な凹凸形状に追従して形成され、その凹凸形状を維持した状態で成膜されている。そのため、第２反射層３３の反射面、すなわち第２反射層３３の第２光学形状層３２側（映像源側）の面）及び第２樹脂層３４側（背面側）の面は、微細かつ不規則な凹凸形状を有する粗面となっている。これにより、第２反射層３３は、入射した光の一部を微細かつ不規則な凹凸形状により拡散して反射し、反射しない他の光を拡散しないで透過する。
なお、本実施形態のスクリーン１０は、上述のように、第１反射層２３及び第２反射層３３の映像源側（＋Ｚ側）の面と背面側（−Ｚ側）の面とに、粗面が形成されているので、映像源側からだけでなく、背面側から映像光を投射した場合においても、映像光を拡散して反射し、背面側に対して映像を表示することができる。
【００３８】
第２反射層３３の反射率は、第１反射層２３の反射率以上であることが、明るく明瞭な映像を表示する観点から好ましい。また、第２反射層３３は、アルミニウム、銀、ニッケル等の光反射性の高い金属を蒸着したり、光反射性の高い金属をスパッタリングしたり、金属箔を転写したりする等により形成してもよい。また、第２反射層３３は、上述の高屈折率誘電体膜を単層により構成するようにしてもよい。
【００３９】
第２樹脂層３４は、前述の第１スクリーン部２０の第１樹脂層２４に相当する層である。第２樹脂層３４は、第１樹脂層２４と同様の材料により形成されている。
第２樹脂層３４の屈折率は、第２光学形状層３２の屈折率と等しい、又は、略等しい（等しいとみなせる程度に屈折率差が小さい）ことが望ましい。
保護層３５は、第２樹脂層３４の背面側（−Ｚ側）に形成された光透過性を有する層であり、このスクリーン１０の背面側を保護する機能を有している。
保護層３５は、光透過性の高い樹脂製のシート状の部材により形成される。保護層３５は、例えば、第１基材層２１や第２基材層３１と同様の材料を用いて形成されたシート状の部材を用いてもよい。
【００４０】
本実施形態のスクリーン１０は、光を拡散する作用を有する粒子等の拡散材を含有した光拡散層を備えておらず、光を拡散する作用を有するのは、第１反射層２３及び第２反射層３３の微細かつ不規則な凹凸形状のみである。
また、本実施形態では、第１光学形状層２２のサーキュラーフレネルレンズ形状と、第２光学形状層３２のサーキュラーフレネルレンズ形状とは同じ形状である。
【００４１】
ここで、映像表示装置１は、同一観察点において観察される第１反射層２３により反射される映像と、第２反射層３３により反射される映像とのずれを映像源ＬＳの１画素以上２画素以下にすることが望ましい。これにより、観察者に観察される映像を、鮮明さを大幅に低下させない程度に若干ぼかして、シンチレーションが生じてしまうのを大幅に抑制することができる。
【００４２】
仮に、画素のずれが２画素よりも大きいと、同一観察点における各反射層の映像のずれが大きくなりすぎてしまい、同一観察点において観察される映像が二重像になったり、不鮮明になったりしてしまうので、望ましくない。また、画素のずれが１画素未満であると、同一観察点における各反射層の映像のずれが小さくなりすぎてしまい、同一観察点において観察される映像にシンチレーションが生じやすくなるので、望ましくない。
第１反射層２３と第２反射層３３とにおける映像のずれを上記範囲にするために、スクリーン１０の厚み方向（Ｚ方向）における第１反射層２３と第２反射層３３との距離Ｔは、映像源ＬＳの仕様や配置位置等によって最適な値は変動するが、例えば、０．２ｍｍ以上１．０ｍｍ以下であることが望ましい。
【００４３】
本実施形態のスクリーン１０は、例えば、以下のような製造方法により製造される。
まず、第１基材層２１を用意し、その一方の面に、第１単位光学形状２２１を賦形する成形型に紫外線硬化型樹脂を充填した状態で積層し、紫外線を照射して紫外線硬化型樹脂を硬化させるＵＶ成形法により第１光学形状層２２を形成する。このとき、第１単位光学形状２２１を賦形する成形型の第１入射面２２１ａ及び第１対向面２２１ｂを賦形する面には、微細かつ不規則な凹凸形状が形成されている。この微細かつ不規則な凹凸形状は、成形型の第１入射面２２１ａ及び第１対向面２２１ｂを賦形する面に、めっき処理やエッチング処理、ブラスト処理等を１回以上行うことによって形成できる。
【００４４】
次に、第１単位光学形状２２１の第１入射面２２１ａに、誘電体多層膜を蒸着することにより第１反射層２３を形成する。
次に、第１反射層２３の上から、第１単位光学形状２２１間の谷部を充填して平面状となるように紫外線硬化型樹脂を塗布し、紫外線を照射して紫外線硬化型樹脂を硬化させ、第１樹脂層２４を形成する。これにより、第１スクリーン部２０が形成される。
【００４５】
第２スクリーン部３０は、前述の第１スクリーン部２０と略同様の製造方法により製造できる。
まず、第２基材層３１の片面にＵＶ成形法により第２光学形状層３２を形成する。このとき、第２単位光学形状３２１を賦形する成形型の第２入射面３２１ａ及び第２対向面３２１ｂを賦形する面には、前述の第１単位光学形状２２１を賦形する成形型と同様に、微細かつ不規則な凹凸形状が形成されている。
次に、第２単位光学形状３２１の第２入射面３２１ａ及び第２対向面３２１ｂに、誘電体多層膜を蒸着することにより第２反射層３３を形成する。
そして、第２反射層３３の上から、第２単位光学形状３２１間の谷部を充填して平面状となるように紫外線硬化型樹脂を塗布し、保護層３５を積層し、紫外線を照射して紫外線硬化型樹脂を硬化させ、第２樹脂層３４及び保護層３５を一体に形成する。これにより、第２スクリーン部３０が形成される。
【００４６】
第１スクリーン部２０の第１樹脂層２４と第２スクリーン部３０の第２基材層３１との間に、透光性を有する粘着剤等により接合層１１を等厚で塗布し、接合層１１を介して第１スクリーン部２０と第２スクリーン部３０とを積層し、一体に接合する。その後、所定の大きさに裁断する等により、スクリーン１０が完成する。
なお、第１基材層２１、第２基材層３１、保護層３５は、枚葉状としてもよいし、ウェブ状としてもよい。
【００４７】
第１反射層２３及び第２反射層３３の表面（第１入射面２２１ａ及び第１対向面２２１ｂの映像源側の面、第２入射面３２１ａ及び第２対向面３２１ｂの映像源側の面）に微細かつ不規則な凹凸形状を形成する方法として、例えば、第１入射面２２１ａ，３２１ａ及び第１対向面２２１ｂ，３２１ｂ上に拡散粒子等を塗布してその上から各反射層を形成したり、第１光学形状層２２及び第２光学形状層３２を形成後に第１入射面２２１ａ，３２１ａ及び第１対向面２２１ｂ，３２１ｂにブラスト加工を行い、その上から各反射層を形成したりする方法等が従来知られている。
しかし、このような製法で各反射層の表面に微細かつ不規則な凹凸形状を形成した場合には、個々のスクリーン１０での拡散特性や品質等のばらつきが大きく、安定した製造が行えない。
これに対して、上述のように、第１単位光学形状２２１及び第２単位光学形状３２１の第１入射面２２１ａ，３２１ａ及び第１対向面２２１ｂ，３２１ｂの微細かつ不規則な凹凸形状を成形型によって賦形し、その上に各反射層を形成するという製造方法を用いることにより、スクリーン１０を多数製造する場合にも、品質のばらつきが少なく、安定して製造できるという利点がある。
【００４８】
図４は、第１実施形態のスクリーン１０の画面上下方向（Ｙ方向）における映像光及び外光の様子を説明する図である。図４では、点Ａを通り第１単位光学形状２２１及び第２単位光学形状３２１の配列方向（Ｙ方向）及びスクリーンの厚み方向（Ｚ方向）に平行な断面での断面の一部を拡大して示している。また、図４では、理解を容易にするために、スクリーン１０の層構成を簡略化してスクリーン１０内の第１反射層２３及び第２反射層３３のみを示し、スクリーン１０内の各層の界面における屈折率差はないものとして示している。
【００４９】
スクリーン１０の下方に位置する映像源ＬＳから投射された映像光Ｌ１のうち、一部の映像光Ｌ２は、スクリーン１０に入射する際にスクリーン１０の表面で反射し、スクリーン１０の映像源側上方へ向かい、観察者Ｏ１には届かない。
映像光Ｌ１のうち、スクリーン１０に入射した映像光Ｌ３の一部の光Ｌ４は、第１単位光学形状２２１の第１入射面２２１ａに入射して第１反射層２３によって拡散反射し、観察者Ｏ１側へ出射する。
スクリーン１０に入射した映像光Ｌ３のうち他の光Ｌ５は、第１反射層２３を透過して、スクリーン１０の背面側（−Ｚ側）へ向かう。第１反射層２３を透過した映像光Ｌ５の一部Ｌ６は、第２単位光学形状３２１の第２入射面３２１ａに入射して第２反射層３３によって拡散反射し、第１反射層２３を透過して観察者Ｏ１側へ出射する。
なお、第１反射層２３を透過した映像光Ｌ５の他の光は、第２反射層３３を透過してスクリーン１０から背面側上方へ出射する（図示せず）。
【００５０】
また、映像源ＬＳから映像光Ｌ１よりも２画素分ずれた位置から出射された映像光Ｌ１１のうち、一部の映像光Ｌ１２は、上述の映像光Ｌ２と同様に、スクリーン１０の表面で反射し、スクリーン１０の映像源側上方へ向かい、観察者Ｏ１には届かない。
映像光Ｌ１１のうちスクリーン１０に入射した映像光Ｌ１３の一部の光Ｌ１４は、第１単位光学形状２２１の第１入射面２２１ａに入射して第１反射層２３によって拡散反射し、観察者Ｏ１側へ出射する。なお、映像光Ｌ１３のうち第１反射層２３を透過した光は、上述の映像光Ｌ５と同様、第２反射層３３に入射する（図示せず）。
【００５１】
このとき、映像光Ｌ１４は、第２反射層３３で反射した映像光Ｌ６と重なるようにして観察者Ｏ１側へと出射する。そのため、同一観察点において、第１反射層２３で反射した映像光Ｌ１４と、第２反射層３３で反射した映像光Ｌ６とが重なり、２画素ずれた状態の映像が観察者Ｏ１に視認されることとなり、視認される画像の鮮明さの低下を極力抑えつつ、シンチレーションが生じてしまうのを大幅に抑制することができる。
なお、映像光Ｌ１に起因する映像光Ｌ４と映像光Ｌ６とは、スクリーン１０からの出射位置がＹ方向にわずかにずれているが、人間の視覚で識別不可能なずれであるので、二重像等は視認されない。
【００５２】
次に、映像源側（＋Ｚ側）上方からスクリーン１０に入射する映像光以外の太陽光等の外界からの光（以下、外光という）について説明する。
図４に示すように、スクリーン１０に映像源側上方から入射する照明光等の外光Ｇ１のうち、一部の外光Ｇ２は、スクリーン１０の表面等で反射し、スクリーン１０の映像源側下方側へ向かう。また、スクリーン１０に入射した光のうち一部の外光Ｇ３は、第１反射層２３で反射し、一部はスクリーン１０の映像源側（＋Ｚ側）の表面で全反射してスクリーン１０内を下方へ向かって次第に減衰する。また、一部の外光Ｇ３は、そのスクリーン１０表面への入射角度によっては、スクリーン１０から映像源側下方へ出射する。
第１反射層２３を透過した一部の外光Ｇ４は、第２反射層３３も透過する等して、スクリーン１０から背面側下方へ出射する。
【００５３】
また、スクリーン１０の画面（ＸＹ面）の法線方向（Ｚ方向）の映像源側から入射するＧ１０や、背面側から入射する外光Ｇ１１の一部は、第１反射層２３及び第２反射層３３を透過して、それぞれ背面側、映像源側へ出射する。スクリーン１０は、拡散粒子を含有する拡散材等を含有していないので、このスクリーン１０を透過する外光Ｇ１０，Ｇ１１は、拡散されない。したがって、スクリーン１０を通して、スクリーン１０の向こう側の背景を観察した場合に、スクリーン１０の向こう側の背景がぼやけたり、白くにじんだりすることなく、高い透明性を有して観察することができる。
【００５４】
従来の拡散粒子を含有する拡散層を備えた半透過型の反射スクリーンでは、映像光は、反射層での反射前後の２回拡散されるので、良好な視野角が得られる一方で映像の解像度が低下するという問題がある。また、拡散粒子によって外光も拡散されるため、スクリーンの向こう側の背景がぼやけたり、白くにじんだりして観察され、透明性が低下する。
【００５５】
しかし、本実施形態のスクリーン１０では、第１反射層２３及び第２反射層３３が表面に微細かつ不規則な凹凸形状を有している以外は、拡散作用を有しないので、映像光は反射時のみ拡散される。また、本実施形態のスクリーン１０では、第１反射層２３及び第２反射層３３で反射する光のみが拡散され、透過光は拡散されない。したがって、本実施形態のスクリーン１０は、良好な視野角及び解像度を有する映像を表示でき、かつ、スクリーン１０の向こう側の景色が白くにじんだり、ぼけたりすることがなく観察者Ｏ１に良好に視認され、高い透明性を実現できる。
また、本実施形態のスクリーン１０では、スクリーン１０に映像光が投射された状態においても、観察者Ｏ１が、スクリーン１０の向こう側（背面側）の景色を一部視認することが可能である。
さらに、本実施形態のスクリーン１０では、背面側（−Ｚ側）に位置する観察者は、映像光の投射の有無に関わらず、スクリーン１０越しに映像源側（＋Ｚ側）の背景を高い透明性を有して良好に視認することができる。
【００５６】
特に、透明性を有するスクリーン１０は、投射瞳径が小さい映像源等により高輝度の映像光を投射した場合には、シンチレーション（スペックル）が生じやすい傾向を有する。
しかし、本実施形態のスクリーン１０では、第１スクリーン部２０と第２スクリーン部３０とは、同じ表示領域に同じ映像を表示しており、同一観察点において、第１反射層２３で反射し映像と、第２反射層３３で反射した映像とが若干ずれた状態で重なって観察者Ｏ１に視認されることとなり、視認される画像の鮮明さの低下を極力抑えて、シンチレーションが生じてしまうのが大幅に抑制される。
よって、映像のシンチレーション（スペックル）を低減し、明るく良好な映像を表示できる反射型のスクリーン１０及び映像表示装置１とすることができる。
【００５７】
（第２実施形態）
図５は、第２実施形態のスクリーン４０の層構成を説明する図である。図５では、スクリーン４０の画面中央となる点Ａを通り、画面上下方向（Ｙ方向）及び厚み方向（Ｚ方向）に平行な断面を示している。
第２実施形態のスクリーン５０は、その層構成が第１実施形態のスクリーン１０とは異なる以外は、前述の第１実施形態のスクリーン１０と同様の形態である。したがって、第１実施形態と同様の機能を果たす部分には、同一の符号又は末尾に同一の符号を付して、重複する説明を適宜省略する。
第２実施形態のスクリーン５０は、第１基材層２１、第１光学形状層２２、第１反射層２３、第２光学形状層４２、第２反射層３３、第２樹脂層３４、保護層３５を備え、これらが一体に積層されている。本実施形態では、第１スクリーン部２０は、映像源側から順に、第１基材層２１、第１光学形状層２２、第１反射層２３を備え、第２スクリーン部３０は、第２光学形状層４２、第２反射層３３、第２樹脂層３４、保護層３５を備えている。
【００５８】
第２光学形状層４２は、第１光学形状層２２及び第１反射層２３の背面側（−Ｚ側）に形成された光透過性を有する層である。
第２光学形状層４２は、その背面側の面に、第２単位光学形状４２１が複数配列されたオフセット構造のサーキュラーフレネルレンズ形状を有している。第２光学形状層４２の有するサーキュラーフレネルレンズ形状と第１光学形状層２２のサーキュラーフレネルレンズ形状とは、その形状及び光学設計が同じであり、第２単位光学形状４２１は、第１実施形態の第２単位光学形状３２１と同様の形状（即ち、第１単位光学形状２２１と同様の形状）である。
また、第２光学形状層４２は、第１光学形状層２２の第１単位光学形状２２１間の谷部を埋めるように形成されており、その映像源側（＋Ｚ側）の面に、第１単位光学形状２２１の略逆型となる形状が複数配列されて形成されている。
【００５９】
第２光学形状層４２の屈折率は、第１光学形状層２２の屈折率と等しい、又は、略等しい（等しいとみなせる程度に屈折率差が小さい）ことが望ましい。また、第２光学形状層４２は、第１光学形状層２２と同じ紫外線硬化型樹脂を用いて形成することが好ましいが、異なる材料により形成してもよい。
本実施形態の第２光学形状層４２は、第１光学形状層２２と同じ材料により形成され、その屈折率が第１光学形状層２２の屈折率に等しい。
【００６０】
本実施形態のスクリーン４０の製造方法を説明する。
第１基材層２１を用意し、その一方の面に、第１単位光学形状２２１を賦形する成形型に紫外線硬化型樹脂を充填した状態で積層し、紫外線を照射して紫外線硬化型樹脂を硬化させるＵＶ成形法により第１光学形状層２２を形成する。このとき、第１単位光学形状２２１を賦形する成形型の第１入射面２２１ａ及び第１対向面２２１ｂを賦形する面には、前述の第１実施形態と同様の表面処理等により、微細かつ不規則な凹凸形状が形成されている。
第１光学形状層２２を、第１基材層２１の一方の面に形成した後、第１入射面２２１ａ及び第１対向面２２１ｂに、誘電体多層膜を蒸着することにより第１反射層２３を形成する。これにより、第１スクリーン部２０が形成される。
【００６１】
次に、保護層３５を用意し、その一方の面に、第２単位光学形状４２１の逆型を賦形する成形型に紫外線硬化型樹脂を充填した状態で積層し、紫外線を照射して紫外線硬化型樹脂を硬化させるＵＶ成形法により第２樹脂層３４を形成する。このとき、成形型の第１入射面４２１ａ及び第１対向面４２１ｂに対応する面を賦形する面には、前述のようなめっき処理等により、微細かつ不規則な凹凸形状が形成されている。
次に、第２樹脂層３４の第２単位光学形状４２１の逆型の各面（第１入射面４２１ａ及び第１対向面４２１ｂに対応する面）に、誘電体多層膜を蒸着することにより第２反射層３３を形成する。これにより、保護層３５、第２樹脂層３４、第２反射層３３が一体に積層された積層部材が形成される。
【００６２】
次に、第１スクリーン部２０と上述の積層部材とを紫外線硬化型樹脂により、一体に接合し、第２光学形状層４２を形成する。第１スクリーン部２０の第１反射層２３の上に紫外線硬化型樹脂を塗布して上述の積層部材を積層し、紫外線を照射して紫外線硬化型樹脂を硬化させ、第２光学形状層４２を形成する。これにより、第１スクリーン部２０と積層部材とは一体となる。その後、所定の大きさに裁断する等により、スクリーン４０が完成する。
【００６３】
本実施形態によれば、前述の第１実施形態の効果に加えて、さらに、以下のような効果を奏することができる。
本実施形態によれば、スクリーン４０を構成する層数が削減され、薄型化を実現できる。また、スクリーン４０を構成する層数が削減されるので、部材数減少による生産コストや製造時間の短縮化等を実現できる。
また、本実施形態によれば、スクリーン４０を構成する層数が削減されるので、各層間の界面での反射等による光量損失を低減でき、映像の明るさを向上できる。
【００６４】
（第３実施形態）
図６は、第３実施形態のスクリーン５０の層構成を説明する図である。図６では、スクリーン５０の画面中央となる点Ａを通り、画面上下方向（Ｙ方向）及び厚み方向（Ｚ方向）に平行な断面を示している。
第３実施形態のスクリーン５０は、各スクリーン部に光学形状層が設けられていない点以外は、前述の第１実施形態のスクリーン１０と同様の形態である。したがって、第１実施形態と同様の機能を果たす部分には、同一の符号又は末尾に同一の符号を付して、重複する説明を適宜省略する。
【００６５】
本実施形態のスクリーン５０は、図６に示すように、その映像源側（＋Ｚ側）から順に、第１スクリーン部２０、第２スクリーン部３０を備えている。第１スクリーン部２０と第２スクリーン部３０とは、厚み方向において積層され、接合層１１によって一体に接合されている。
この第１スクリーン部２０及び第２スクリーン部３０は、それぞれ複数の層が一体に積層されて形成されている。
第１スクリーン部２０は、映像源側（＋Ｚ側）から順に、第１基材層２１、第１反射層５３、第１樹脂層５４を備えている。
また、第２スクリーン部３０は、第１スクリーン部２０よりも背面側（−Ｚ側）に位置し、映像源側から順に、第２基材層３１、第２反射層６３、第２樹脂層６４、保護層３５を備えている。
【００６６】
第１スクリーン部２０の第１基材層２１は、光透過性を有するシート状の部材であり、その背面（−Ｚ側の面）が微細かつ不規則な凹凸形状を有する粗面に形成されている。
第１反射層５３は、入射した光の一部を反射し、その他を透過する半透過型の反射層であり、いわゆるハーフミラーである。本実施形態の第１反射層５３は、スクリーンの画面に略平行となる第１基材層２１の背面（−Ｚ側の面）の全面に形成されている。
第１反射層５３は、第１基材層２１の背面の微細かつ不規則な凹凸形状に追従して形成され、その凹凸形状を維持した状態で成膜されている。そのため、第１反射層５３の第１基材層２１側（映像源側）の面及び第１樹脂層５４側（背面側）の面は、微細かつ不規則な凹凸形状を有する粗面となっている。第１反射層５３は、上述の第１実施形態の第１反射層２３と同様の材料により形成されている。
第１樹脂層５４は、第１反射層５３の背面（−Ｚ側の面）に設けられた樹脂の層であり、第１反射層５３の背面を覆い保護している。第１樹脂層５４は、上述の第１実施形態の第１樹脂層２４と同様の材料により形成されている。
【００６７】
第２スクリーン部３０の第２基材層３１は、光透過性を有するシート状の部材であり、その背面（−Ｚ側の面）が微細かつ不規則な凹凸形状を有する粗面に形成されている。
第２反射層６３は、入射した光の一部を反射し、その他を透過する半透過型の反射層であり、いわゆるハーフミラーである。本実施形態の第２反射層６３は、スクリーンの画面に略平行となる第２基材層３１の背面（−Ｚ側の面）の全面に形成されている。
第２反射層６３は、第２基材層３１の背面の微細かつ不規則な凹凸形状に追従して形成され、その凹凸形状を維持した状態で成膜されている。そのため、第２反射層６３の第２基材層３１側（映像源側）の面及び第２樹脂層６４側（背面側）の面は、微細かつ不規則な凹凸形状を有する粗面となっている。第２反射層６３は、上述の第１実施形態の第２反射層３３と同様の材料により形成されている。
第２樹脂層６４は、第２反射層６３の背面（−Ｚ側の面）に設けられた樹脂の層であり、第２反射層６３の背面を覆い保護している。第２樹脂層６４は、上述の第１実施形態の第２樹脂層３４と同様の材料により形成されている。
【００６８】
本実施形態のスクリーン５０は、例えば、以下のような製造方法により製造される。
まず、背面に微細かつ不規則な凹凸形状が形成された第１基材層２１を用意する。ここで、微細かつ不規則な凹凸形状は、第１基材層２１の背面にめっき処理やエッチング処理、ブラスト処理等を１回以上行うことによって形成することができる。
そして、第１基材層２１の背面に誘電体多層膜を蒸着することにより第１反射層５３を形成する。
次に、第１反射層５３の上に均一な厚みになるように紫外線硬化型樹脂を塗布し、紫外線を照射して紫外線硬化型樹脂を硬化させ、第１樹脂層５４を形成する。これにより、第１スクリーン部２０が形成される。
【００６９】
第２スクリーン部３０は、前述の第１スクリーン部２０と略同様の製造方法により第２基材層３１及び第２反射層６３が積層された積層体を製造する。そして、積層体の第２反射層６３の上に均一な厚みになるように紫外線硬化型樹脂を塗布し、保護層３５を積層し、紫外線を照射して紫外線硬化型樹脂を硬化させ、第２樹脂層６４及び保護層３５を一体に形成する。これにより、第２スクリーン部３０が形成される。
第１スクリーン部２０の第１樹脂層５４と第２スクリーン部３０の第２基材層３１との間に、透光性を有する粘着剤等により接合層１１を等厚で塗布し、接合層１１を介して第１スクリーン部２０と第２スクリーン部３０とを積層し、一体に接合する。その後、所定の大きさに裁断する等により、スクリーン５０が完成する。
【００７０】
以上より、本実施形態のスクリーン５０は、上述の第１実施形態と同様の効果を奏することができる。
また、本実施形態のスクリーン５０は、各スクリーン部の第１反射層及び前記第２反射層が、それぞれスクリーン面に略平行な平坦な面に形成されているので、第１実施形態のスクリーン１０に比してより簡易な構成によりスクリーンを形成することができ、製造工程を簡易にし、製造コストを低減することができる。
また、本実施形態のスクリーン５０は、第１実施形態のスクリーン１０に設けられた第１光学形状層２２及び第２光学形状層３２を省略することができ、その点においても製造工程を簡易にし、製造コストを低減することができる。
【００７１】
（変形形態）
以上説明した各実施形態に限定されることなく、種々の変形や変更が可能であって、それらも本発明の範囲内である。
（１）上述の各実施形態において、第２スクリーン部３０の第２反射層３３は、半透過型の反射層（ハーフミラー）である例を示したが、これに限定されるものでなく、入射した光を透過することなく反射する反射層としてもよい。これにより、スクリーン１０に入射した映像光の利用効率を向上することができ、より明るく鮮明な画像を観察者に表示することができる。
なお、この場合、スクリーン１０の画面の法線方向に入射する背景等の光（図４のＧ１０、Ｇ１１）は、そのほとんどが第２反射層３３により反射されてしまうが、第２反射層３３を第２入射面の一部に、より具体的には、映像光の反射に寄与する部分（例えば、第２入射面３２１ａの谷部ｖ２側の部位に）のみ設けることにより、第２入射面の反射層が形成されていない部位を介して上述の背景等の光を、スクリーン１０を透過させることができる。また、各単位光学形状２２１、３２１の第１対向面２２１ｂ、第２対向面３２１ｂの角度（θ２、θ４）を９０度よりも小さくすることにより、スクリーン１０に入射する背景等の光を、対向面を介してより多く透過させることができる。
【００７２】
（２）上述の各実施形態において、各単位光学形状の入射面及び対向面のそれぞれが、微細かつ不規則な凹凸形状を有する粗面に形成される例を示したが、これに限定されるものでなく、例えば、反射層が形成されない対向面には、粗面の形成を省略するようにしてもよい。
（３）上述の各実施形態において、各単位光学形状の対向面には反射層が形成されない例を説明したが、これに限定されるものでなく、対向面にも反射層が形成されるようにしてもよい。
（４）第３実施形態において、必要に応じて第１樹脂層５４及び第２樹脂層６４は、省略してもよい。これにより、スクリーン５０の層構成をより単純化することができ、製造効率を向上させるとともに、製造コストを低減することができる。
【００７３】
（５）第１実施形態及び第３実施形態において、第１スクリーン部２０が第１樹脂層２４の背面側に不図示の保護層をさらに備える形態としてもよい。即ち、第１スクリーン部２０と第２スクリーン部３０とはそれぞれ別体の透明性を有するスクリーンであり、これらを接合層１１により一体に接合し、スクリーン１０、４０としてもよい。
【００７４】
（６）各実施形態において、スクリーン１０，４０，５０の映像源側（＋Ｚ側）の面に、傷つき防止を目的としたハードコート層を設けてもよい。ハードコート層は、例えば、スクリーン１０，４０，５０の映像源側の面（第１基材層２１の映像源側の面）に、ハードコート機能を有する紫外線硬化型樹脂（例えば、ウレタンアクリレート等）を塗布して形成する等により、形成することができる。
また、ハードコート層に限らず、スクリーン１０，４０，５０の使用環境や使用目的等に応じて、例えば、反射防止機能、紫外線吸収機能、防汚機能、帯電防止機能等、適宜必要な機能を有する層を１つ又は複数選択して設けてもよい。さらに、第１基材層２１の映像源側（＋Ｚ側）にタッチパネル層等を設けてもよい。
例えば、スクリーン１０，４０，５０の映像源側の表面に反射防止層を設けた場合には、映像光のスクリーン入射時の反射を抑制することに加え、第１反射層や第２反射層で反射した光の一部が、スクリーンの映像源側表面で反射して背面側から出射する等により、背面側の観察者Ｏ２に映像が一部見えてしまうこと等も防止することができる。
【００７５】
（７）各実施形態において、映像源ＬＳは、例えば、スクリーン１０，４０，５０の斜め下側等に配置され、スクリーン１０，４０，５０に対して画面左右方向において斜め方向から映像光を投射する形態としてもよい。このとき、映像源ＬＳの位置に合わせて第１単位光学形状２２１及び第２単位光学形状３２１，４２１の配列方向は、傾いた形態となる。
このような形態とすれば、映像源ＬＳの位置等の自由度が向上する。
【００７６】
（８）第１実施形態及び第２実施形態において、第１光学形状層２２及び第２光学形状層３２，４２は、第１単位光学形状２２１、第２単位光学形状３２１，４２１が画面左右方向に延在し、画面上下方向に複数配列されるリニアフレネルレンズ形状を背面側（−Ｚ側）の面に有する形態としてもよい。
【００７７】
（９）第１実施形態及び第２実施形態において、第１単位光学形状２２１及び第２単位光学形状３２１，４２１の第１入射面、第１対向面は、例えば、曲面と平面とが組み合わされた形態としてもよいし、折れ面状としてもよい。
また、第１単位光学形状２２１及び第２単位光学形状３２１，４２１は、３つ以上の複数の面によって形成される多角形形状としてもよい。
また、第１反射層２３は、第１入射面２２１ａの少なくとも一部に形成される形態としてもよい。第２反射層３３についても同様である。また、例えば、第１反射層２３は、第１入射面２２１ａの少なくとも一部に形成され、第２反射層３３が第２入射面３２１ａ及び第２対向面３２１ｂに形成される形態としてもよい。
【００７８】
（１０）第１実施形態及び第２実施形態において、スクリーン１０，４０は、第１光学形状層２２及び第２光学形状層３２，４２が十分な厚みや剛性等を有している場合には、第１基材層２１、第２基材層３１、保護層３５のすべて、又は、いずれか少なくとも１つを備えない形態としてもよい。
また、各実施形態のスクリーン１０，４０，５０は、第１基材層２１及び保護層３５の少なくとも一方を、ガラス板等の光透過性を有する板状の部材としてもよい。このとき、粘着剤層等を介して第１光学形状層２２等がガラス板等に接合される形態としてもよい。
また、スクリーン１０，４０，５０は、その映像源側（＋Ｚ側）又は背面側（−Ｚ側）に、透光性を有する支持板を配置し、支持板に接合する形態等してもよい。例えば、スクリーン１０の背面側に支持板等を接合する場合には、保護層３５を設けない形態としてもよいし、スクリーン１０の映像源側に支持板等を接合する場合には、第１基材層２１を設けない形態としてもよい。
【００７９】
（１１）各実施形態において、スクリーン１０，４０，５０は、画面（表示領域）が矩形形状である例を示したが、これに限らず、例えば、正方形や平行四辺形等の他の四角形形状や多角形形状、円形、長円形、楕円形等としてもよい。
【００８０】
（１２）スクリーン１０，４０，５０は、黒や灰色等の暗色系の着色材等で着色され、入射した光の一部を吸収する光吸収性を有する不図示の光吸収層を備えていてもよい。この光吸収層は、第１反射層２３よりも映像源側（＋Ｚ側）に位置していてもよいし、第２反射層３３よりも背面側（−Ｚ側）に位置していてもよいし、第１反射層２３と第２反射層３３との間に位置していてもよい。
光吸収層をスクリーン１０，４０，５０に設けることにより、スクリーン１０，４０，５０に入射した外光等により生じ、スクリーン１０，４０，５０と空気との界面で全反射しながらスクリーン１０，４０，５０内を進む迷光を吸収でき、迷光による映像のコントラスト低下等を抑制できる。
【００８１】
また、光吸収層が、第１反射層２３よりも映像源側に位置する場合には、映像の黒輝度の低減や映像源側から入射する外光を吸収でき、映像のコントラストの向上を図ることができる。また、光吸収層が、第２反射層３３よりも背面側に位置する場合には、背面側から入射する外光を吸収し、映像のコントラストを向上させることができる。
なお、上述の光吸収層は、着色材を含有せず、透明な層であって光吸収作用を有する層としてもよい。
【００８２】
（１３）各実施形態において、１枚のスクリーンとして積層されるスクリーン部は、３つ以上でもよい。３つのスクリーン部は、集光点が同じであってもよいし、異なっていてもよい。
（１４）各実施形態において、各スクリーン部１０、２０の反射層は、映像源側の面と背面側の面に微細かつ不規則な凹凸形状が形成される例を示したが、映像源側の面のみに微細かつ不規則な凹凸形状が形成されるようにしてもよい。
【００８３】
なお、本実施形態及び変形形態は、適宜組み合わせて用いることもできるが、詳細な説明は省略する。また、本発明は以上説明した各実施形態によって限定されることはない。
【符号の説明】
【００８４】
１    映像表示装置
１０、４０、５０    スクリーン
２０    第１スクリーン部
３０    第２スクリーン部
２１    第１基材層
２２    第１光学形状層
２２１    第１単位光学形状
２３、５３    第１反射層
２４、５４    第１樹脂層
３１    第２基材層
３２、４２    第２光学形状層
３２１、４２１    第２単位光学形状
３３、６３    第２反射層
３４、６４    第２樹脂層
３５    保護層
【図１】
2020194099.tif 000003
【図２】
2020194099.tif 000004
【図３】
2020194099.tif 000005
【図４】
2020194099.tif 000006
【図５】
2020194099.tif 000007
【図６】
2020194099.tif 000008